(57)【特許請求の範囲】
【請求項１】
音響データを取得する携帯端末装置において、
前記音響データを再生する音響スピーカと、
他の携帯端末装置と共同して前記音響スピーカに前記音響データを再生させる音響データ再生部とを備えることを特徴とする携帯端末装置。
【請求項２】
音響データを取得する携帯端末装置の音響再生システムにおいて、
前記音響データを再生する音響スピーカと、
他の携帯端末装置と共同して前記音響スピーカに前記音響データを再生させる音響データ再生部とを備えることを特徴とする携帯端末装置の音響再生システム。
【請求項３】
前記音響データがマルチメディアデータに含まれることを特徴とする、請求項２に記載の携帯端末装置の音響再生システム。
【請求項４】
前記携帯端末装置が、取得した画像データを表示することを特徴とする、請求項２乃至請求項３のいずれか１つに記載の携帯端末装置の音響再生システム。
【請求項５】
前記携帯端末装置が、ディスプレイを備えることを特徴とする、請求項２乃至請求項４のいずれか１つに記載の携帯端末装置の音響再生システム。
【請求項６】
少なくとも２つの前記ディスプレイが互いに異なる画像を表示することを特徴とする、請求項５に記載の携帯端末装置の音響再生システム。
【請求項７】
前記携帯端末装置は、取得したデータに対する展開、分割のうち少なくとも１つの機能を備えることを特徴とする、請求項２乃至請求項６のいずれか１つに記載の携帯端末装置の音響再生システム。
【請求項８】
前記データに音響データが含まれることを特徴とする、請求項７に記載の携帯端末装置の音響再生システム。
【請求項９】
前記携帯端末装置は、前記データを格納する記憶装置を有することを特徴とする、請求項２乃至請求項８のいずれか１つに記載の携帯端末装置の音響再生システム。
【請求項１０】
前記携帯端末装置は、前記記憶装置に格納される前記データを少なくとも１つの前記他の携帯端末装置に転送することを特徴とする、請求項２乃至９のいずれか１つに記載の携帯端末装置の音響再生システム。
【請求項１１】
前記データの前記記憶装置への格納と、前記他の携帯端末装置への転送が同時に行われることを特徴とする、請求項１０に記載の携帯端末装置の音響再生システム。
【請求項１２】
前記携帯端末装置は、前記データを再生しながら前記他の携帯端末装置に送信することを特徴とする、請求項１０又は請求項１１に記載の携帯端末装置の音響再生システム。
【請求項１３】
前記他の携帯端末装置は、前記送信されたデータを受信しながら再生することを特徴とする、請求項１１又は請求項１２に記載の携帯端末装置の音響再生システム。
【請求項１４】
前記携帯端末装置の再生動作と、前記他の携帯端末装置の再生動作が共同して行われることを特徴とする、請求項１１乃至請求項１３のいずれか１つに記載の携帯端末装置の音響再生システム。
【請求項１５】
少なくとも２つの前記携帯端末装置がそれぞれ異なるデータを取得し、少なくとも２つの前記他の携帯端末装置に別々に転送し、前記携帯端末装置で取得したそれぞれのデータと、前記他の携帯端末装置に転送されたそれぞれのデータが共同して再生されることを特徴とする、請求項８乃至請求項１４のいずれか１つに記載の携帯端末装置の音響再生システム。
【請求項１６】
前記データは無線又は有線により前記携帯端末装置に送受信されることを特徴とする、請求項２乃至請求項１５のいずれか１つに記載の携帯端末装置の音響再生システム。
【請求項１７】
前記データの受信先がデータ配信サービスであることを特徴とする、請求項２乃至請求項１６のいずれか１つに記載の携帯端末装置の音響再生システム。
【請求項１８】
前記データは記憶装置又は記憶媒体により前記携帯端末装置に提供されることを特徴とする、請求項２乃至請求項１５のいずれか１つに記載の携帯端末装置の音響再生システム。
【請求項１９】
前記携帯端末装置は、前記データの前記他の携帯端末装置への送信によって生じる遅延時間を考慮して、前記データを再生することを特徴とする、請求項１０乃至請求項１８のいずれか１つに記載の携帯端末装置の音響再生システム。
【請求項２０】
前記携帯端末装置の少なくとも２つが、データの分離装置の異なる出力側にケーブル又は無線で接続されることを特徴とする、請求項２乃至請求項１９に記載の携帯端末装置の音響再生システム。
【請求項２１】
前記分離装置は情報機器又は他の携帯端末装置からのデータを入力し分離して前記携帯端末装置に転送することを特徴とする、請求項２０に記載の携帯端末装置の音響再生システム。
【請求項２２】
前記携帯端末装置が、データ取得時に前記データ取得元から電力を供給されることを特徴とする、請求項２乃至請求項２１のいずれか１つに記載の携帯端末装置の音響再生システム。
【発明の詳細な説明】
【０００１】
【産業上の利用分野】
本発明は携帯電話、ＰＨＳ（Ｐｅｒｓｏｎａｌ  Ｈａｎｄｙ  Ｐｈｏｎｅ  Ｓｙｓｔｅｍ）、コードレス電話、親子電話の子機、ＰＤＡ（Ｐｅｒｓｏｎａｌ  Ｄｉｇｉｔａｌ  Ａｓｓｉｓｔａｎｔｓ）等の無線電話を含む携帯端末装置に関する。本発明は、携帯端末装置同士又は、他の音響機器と有機的に結合して高音質の音響再生を実現する携帯端末装置の音響再生システム及び方法に関する。
【０００２】
【従来の技術】
近年、携帯電話を始めとする携帯端末装置は、その普及率が目覚ましく、また多くの人により外出時に携帯されている。
また、携帯端末装置のマルチメディア化が顕著になり、携帯端末装置は、内蔵メモリ容量増加、記憶媒体の導入、通信の高速化により、画像、音楽などの大容量データを扱うようになってきた。
【０００３】
特開２０００−４９７２２号公報、特開２０００−７８３０１号公報には、携帯端末装置のヘッドホンを用いたステレオ再生の技術が開示されている。
【０００４】
【発明が解決しようとする課題】
しかしながら、上記の従来技術では、ヘッドホンを付けた受聴者のみがステレオ音楽、サラウンドのような音響等を聴取できるものの、周囲の者は聴くことができないという問題がある。
【０００５】
前記受聴者以外の者にもステレオ音楽、サラウンド音響を聴取可能にするためには、ヘッドホンに代わり、携帯端末装置単体に、空間に音響を伝搬させる複数の音響用スピーカを備えなければならないが、携帯端末装置が小型であるため、クロストークが大きくなり、ステレオ効果を得ることが困難であるという別の問題が発生する。
【０００６】
さらに、サラウンドのような音響を聴取するためには、携帯端末装置に他のスピーカを接続しなければならないという別の問題が発生する。
したがって、本発明は上記問題点に鑑みて、ステレオ音響、サラウンド音響、さらに、ホームシアタの音響を簡易に且つ快適に再生するための携帯端末装置の音響再生システム及び方法を提供することを目的とする。
【０００７】
【課題を解決するための手段】
本発明は前記問題点を解決するために、
音響データを取得する携帯端末装置において、前記音響データを再生する音響スピーカと、他の携帯端末装置と共同して前記音響スピーカに前記音響データを再生させる音響データ再生部とを備えることを特徴とする携帯端末装置を提供する。
【０００８】
この手段により、ステレオ音響、サラウンド音響、さらに、ホームシアタの音響を簡易に且つ快適に再生することが可能になる。
さらに、本発明は、音響データを取得する携帯端末装置の音響再生システムにおいて、前記音響データを再生する音響スピーカと、他の携帯端末装置と共同して前記音響スピーカに前記音響データを再生させる音響データ再生部とを備えることを特徴とする携帯端末装置の音響再生システムを提供する。
【０００９】
この手段により、上記発明と同様に、ステレオ音響、サラウンド音響、さらに、ホームシアタの音響を簡易に且つ快適に再生することが可能になる。
好ましくは、前記音響データがマルチメディアデータに含まれる。この手段により、マルチメディアデータを利用でき音源の取得が容易になる。
【００１０】
好ましくは、前記携帯端末装置が、取得した画像データを表示する。この手段により、携帯端末装置をホームシアタに使用することが可能になる。
好ましくは、前記他の携帯端末装置が、ディスプレイを備える。この手段により、音響機器としてテレビジョンやＰＣを加え、そのディスプレイを用いて、ホームシアタを実現することが可能になる。
【００１１】
好ましくは、少なくとも２つの前記ディスプレイが互いに異なる画像を表示する。この手段により、一方の画面で表示されている画像の一部を単体又は複数で、あるいは拡大して他方の画面に表示することが可能になる。
好ましくは、前記携帯端末装置は、取得したデータに対する展開、分割のうち少なくとも１つの機能を備える。この手段により、１つの携帯端末装置でデータを取得し、他の携帯端末装置にシリアル接続、パラレル接続で転送可能になるので、データ取得の費用が軽減できる。
【００１２】
好ましくは、前記データに音響データが含まれる。この手段により取得したデータにより、他の携帯端末装置とステレオ、サラウンド音響の再生が可能になる。
好ましくは、前記携帯端末装置は、前記データを格納する記憶装置を有する。この手段により、回線接続時間にとらわれずに、音響を聴取したい時にはいつでも、しかも何度でも繰り返し音響が聴取可能になる。
【００１３】
好ましくは、前記携帯端末装置は、前記記憶装置に格納される前記データを少なくとも１つの前記他の携帯端末装置に送信する。この手段により、格納データを転送してステレオ、サラウンド音響を聴取したい時にはいつでも、しかも何度でも繰り返し音響が聴取可能である。
好ましくは、前記データの前記記憶装置への格納と、前記他の携帯端末装置への転送が同時に行われる。この手段により、記憶装置への格納と同時に再生が可能になる。
【００１４】
好ましくは、前記携帯端末装置は、前記データを再生しながら前記他の携帯端末装置に送信する。この手段により、再生と同時に転送が可能になる。
好ましくは、前記他の携帯端末装置は、前記送信されたデータを受信しながら再生する。この手段により、受信と同時再生が可能になる。
好ましくは、前記携帯端末装置の再生動作と、前記他の携帯端末装置の再生動作が共同して行われる。さらに、好ましくは、少なくとも２つの前記携帯端末装置がそれぞれ異なるデータを取得し、少なくとも２つの前記他の携帯端末装置に別々に転送し、前記携帯端末装置で取得したそれぞれのデータと、前記他の携帯端末装置に転送されたそれぞれのデータが共同して再生される。この手段により、データを取得する携帯端末装置の負荷を低減したステレオ、サラウンド音響の再生が可能になる。
【００１５】
好ましくは、前記データは無線又は有線により前記携帯端末装置に送受信される。この手段により、有線によるケーブルが通行などの障害になる場合には無線によりケーブルをなくすことが可能になる。
好ましくは、前記データはデータ配信サービスから送信される。この手段により、多様な音源の取得が容易になる。
【００１６】
好ましくは、前記データは記憶装置又は記憶媒体により前記携帯端末装置に提供される。この手段により、１度音源を取得すれば繰り返し再生が可能になる。
好ましくは、前記携帯端末装置は、前記データの前記他の携帯端末装置への送信によって生じる遅延時間を考慮して、前記データを再生する。この手段により、音質改善が可能になる。
【００１７】
好ましくは、前記携帯端末装置の少なくとも２つが、データの分離装置の異なる出力側にケーブル又は無線で接続される。この手段により、分離装置により音源を取得することが可能になり、有線によるケーブルが通行などの障害になる場合には無線によりケーブルをなくすことが可能になる。
好ましくは、前記分離装置は情報機器又は他の携帯端末装置からのデータを入力し分離して前記携帯端末装置に転送する。この手段により、音源の取得の多様性を確保することが可能になる。
【００１８】
好ましくは、前記携帯端末装置が、データ取得時に前記データ取得元から電力を供給される。この手段により、電力不足に対応可能になる。
【００１９】
【発明の実施の形態】
本発明は、携帯端末装置と、携帯端末装置を含む他の音響機器とを共同し、音響源としてデータ配信サービスの配信、インタネットワーク、店舗や公共施設などに設置されたステーションからのダウンロード、ＣＤ、ＤＶＤ、メモリ媒体の直接購入、レンタル、ヘッドホンステレオ等のＡＶ機器、パーソナルコンピュータ等の情報機器から音源を含むマルチメディアデータの取得を多様かつ容易にして、ステレオ音響、サラウンド音響、ホームシアタの音響の再生、さらには画像の表示を、以下のようにして、可能にする。
【００２０】
以下、本発明の実施の形態について図面を参照して説明する。
図１は本発明に係る携帯端末装置の音響再生システムの第１実施例の概略構成で個々に受信を行う例を示す図である。
先ず、本図に示すように、携帯端末装置の音響再生システムの第１実施例は、５つの携帯端末装置１ａ、１ｂ、１ｃ、１ｄ、１ｅから構成される。
【００２１】
５つの携帯端末装置１ａ、１ｂ、１ｃ、１ｄ、１ｅは聴取者５の周辺に配置され、低域音響を含むサラウンド音響を再生する。
すなわち、それぞれ互いに離れた位置に設置される５つの携帯端末装置１ａ、１ｂ、１ｃ、１ｄ、１ｅのうち、携帯端末装置１ａからはフロントレフトの音ＦＬが再生され、携帯端末装置１ｂからはフロントライトの音ＦＲが再生され、携帯端末装置１ｃからはリアレフトの音ＲＬが再生され、携帯端末装置１ｄからはリアライトの音ＲＲが再生され、携帯端末装置１ｅからは低周波数域の低域音ＬＯＷが再生される。
【００２２】
携帯端末装置１ａ、１ｂ、１ｃ、１ｄ、１ｅは、個別に公衆回線を通じて、受信電波２２ａ、２２ｂ、２２ｃ、２２ｄ、２２ｅをそれぞれ受信する。
受信電波２２ａ、２２ｂ、２２ｃ、２２ｄ、２２ｅは、データ配信サービスなどから送信され、サラウンド音響の音ＦＬ、ＦＲ、ＲＬ、ＲＲ音響データ、低域周波数域の音響データを含む電波である。
【００２３】
携帯端末装置１ａ、１ｂ、１ｃ、１ｄ、１ｅは、受信電波２２ａ、２２ｂ、２２ｃ、２２ｄ、２２ｅをそれぞれ受信しながら、受信した音響データをリアルタイムで再生する。
なお、携帯端末装置１ｅには低音特性が優れた音響用スピーカを有するものを用いることが望ましい。
次に、第１実施例の第１変形例の概略構成を説明する。第１実施例の第１変形例は、図１に示す第１実施例の構成から携帯端末装置１ｅを削除して、数を４つに低減した携帯端末装置１ａ、１ｂ、１ｃ、１ｄにより構成され、それぞれで受信、再生し、サラウンド音響の再現を行う。すなわち、４つの携帯端末装置は、受信電波２２ａ、２２ｂ、２２ｃ、２２ｄをそれぞれ受信しながら、受信した音響データをリアルタイムで再生する。
【００２４】
なお、受信電波２２ａ、２２ｂ、２２ｃ、２２ｄは、データ配信サービスなどから送信され、サラウンド音響の音ＦＬ、ＦＲ、ＲＬ、ＲＲ音響データを含む電波である。
また、データ配信サービスが、例えば、サラウンド音響でのフロント専用音響チャンネル、リア専用音響チャンネル等を準備している場合、携帯端末装置１ａ、１ｂはフロント専用音響チャンネルから音ＦＬ、音ＦＲをそれぞれ受信することができる。
【００２５】
次に、第１実施例の第２変形例の概略構成を説明する。第１実施例の第２変形例は、図１に示す第１実施例の構成から携帯端末装置１ｃ、１ｄを削除して、さらに数を３つに低減した携帯端末装置１ａ、１ｂ、１ｅにより構成され、それぞれで受信、再生し、低域音響を含むステレオ音響の再現を行う。すなわち、３つの携帯端末装置は、受信電波２２ａ、２２ｂ、２２ｅをそれぞれ受信しながら、受信した音響データをリアルタイムで再生する。
【００２６】
なお、受信電波２２ａ、２２ｂ、２２ｅは、データ配信サービスなどから送信され、サラウンド音響の音ＦＬ、ＦＲ、低周波数域の音響データを含む電波である。
また、データ配信サービスが、例えば、ステレオ音響専用チャンネル等を準備している場合、携帯端末装置１ａ、１ｂはステレオ音響専用チャンネルからＬ音、Ｒ音をそれぞれ受信することができる。
【００２７】
次に、第１実施例の第３変形例の概略構成を説明する。第１実施例の第３変形例は、図１に示す第１実施例の構成から携帯端末装置１ｃ、１ｄ、１ｅを削除して、さらに数を２つに低減した携帯端末装置１ａ、１ｂにより構成され、それぞれで受信、再生し、ステレオ音響の再現を行う。すなわち、２つの携帯端末装置は、受信電波２２ａ、２２ｂをそれぞれ受信しながら、受信した音響データをリアルタイムで再生する。
【００２８】
なお、受信電波２２ａ、２２ｂは、データ配信サービスなどから送信され、サラウンド音響の音ＦＬ、ＦＲの音響データを含む電波である。
また、データ配信サービスが、例えば、ステレオ音響専用チャンネル等を準備している場合、携帯端末装置１ａ、１ｂはステレオ音響専用チャンネルからＬ音、Ｒ音をそれぞれ受信することができる。
以上の例では最大５つの携帯端末装置の組み合わせについて説明を行ったが、これに限定されず、これよりも多い数の携帯電話装置の組み合わせで音響の再生を行うことが可能である。
また、組み合わされる各携帯端末装置に音響の再生と共に、画像を表示することが可能である。
【００２９】
図２は、同一の構成である図１の携帯端末装置１ａ、１ｂ、１ｃ、１ｄ、１ｅの各々の概略構成を示すブロック図である。
本図に示すように、携帯端末装置１ａ、１ｂ、１ｃ、１ｄ、１ｅの各々には、アンテナ１０１が設けられ、アンテナ１０１は、基地局と電波の送受信を行う。
アンテナ１０１には送受信部１０２が接続され、送受信部１０２はアンテナ１０１からの受信信号を復調データに復調し、変調データを送信信号に変調しアンテナ１０１に出力する。
【００３０】
送受信部１０２には制御部１０３が接続され、制御部１０３は送受信部１０２から入力する復調データを復号化し、入力する信号を符号化して変調データを形成する。
制御部１０３には表示部１０４が接続され、表示部１０４は、電話番号、機能等の所定データを表示し、同時に又は代替して、受信した画像データを画面に表示する。
【００３１】
制御部１０３には入力部１０５が接続され、入力部１０５は、表示部１０４の表示動作要求、発信要求等、特にマルチメディアデータのデータ配信サービス受信要求等を行う。
制御部１０３には送話器１０６、受話器１０７等が接続される。
送話器１０６では音声がアナログの電気信号に変換され、変換されたアナログの電気信号は制御部１０３でディジタルの変調データに符号化される。
【００３２】
受話器１０７では、制御部１０３でディジタルの復調データから復号化されたアナログの電気信号が音声に変換される。
さらに、制御部１０３には音響データ再生部１０８が設けられ、音響データ再生部１０８は、マルチメディアデータをデータ配信サービス、情報機器等から受信して復調されたディジタルの音響データをアナログの電気信号に復号化する。
【００３３】
さらに、制御部１０３の音響データ再生部１０８には音響用スピーカ１０９が接続され、音響用スピーカ１０９は、音響データ再生部１０８によりディジタルの音響データから復号化されたアナログの電気信号を音に変換し再生する。
図３は、図１における第１実施例の再生動作を説明する図である。
本図（ａ）に示すように、音ＦＬ、ＦＲ、ＲＬ、ＲＲ、Ｌ、Ｒ、低域音ＬＯＷ、高域音ＨＩＧＨ、画像等のマルチメディアデータがデータ配信サービス等から配信されているとする。
【００３４】
本図（ｂ）に示すように、携帯端末装置１ａでは、受信電波２２ａを介して、本図（ａ）に示す音ＦＬの音響データが受信され、音響データ再生部１０８により復号化されて、音響用スピーカ１０９から音ＦＬが再生され、さらに、本図（ａ）に示す画像データが受信され、画面に表示される。
同様に、本図（ｃ）に示すように、携帯端末装置１ｂでは音ＦＲが再生され、画像データが画面に表示される。
【００３５】
同様に、本図（ｄ）に示すように、携帯端末装置１ｃでは音ＲＬが再生され、画像データが画面に表示される。
同様に、本図（ｅ）に示すように、携帯端末装置１ｄでは音ＲＲが再生され、画像データが画面に表示される。
同様に、本図（ｆ）に示すように、携帯端末装置１ｅでは音ＬＯＷが再生され、画像データが画面に表示される。
【００３６】
携帯端末装置１ａ、１ｂ、１ｃ、１ｄ、１ｅのうち一部又は全ての画面に、同一又はそれぞれの専用画像を取り込み表示させるようにしてもよい。
さらに、ある携帯端末装置の画面で表示されている画像の一部を単体又は複数で、あるいは拡大して他の携帯端末装置の画面に表示されるようにしてもよい。
また、それら複数の画像はデータ配信サービスから提供可能である。また、その画像は動画であってもよい。
【００３７】
このようにして、動画を含む画像を表示しながら、聴取者５に対して低音特性に優れたサラウンド音響の再生が可能になり、簡易のホームシアタが実現される。
さらに、携帯端末装置の画面に画像を表示しない場合には、画像を受信せず、音響データだけを受信して、聴取者５に対してサラウンド音響の再生が可能になる。
次に、図３を用いて、携帯端末装置１ａ、１ｂ、１ｃ、１ｄにより構成される第１実施例の第１変形例の概略再生動作を説明する。、
【００３８】
図３（ｂ）、（ｃ）、（ｄ）、（ｅ）に示すように、携帯端末装置１ａ、１ｂ、１ｃ、１ｄでは受信、再生が行われる。
画像の表示について、図１における第１実施例の再生動作の説明と同様に行われる。
このようにして、動画を含む画像を表示しながら、サラウンド音響を楽しむことが可能になる。
さらに、音響データだけを受信したサラウンド音響の再生も可能である。
次に、図３を用いて、携帯端末装置１ａ、１ｂ、１ｅにより構成される第１実施例の第２変形例の概略再生動作を説明する。
図３（ｂ）、（ｃ）、（ｆ）に示すように、携帯端末装置１ａ、１ｂ、１ｅでは受信、再生が行われる。
【００３９】
画像の表示については、図１における第１実施例の再生動作の説明と同様である。
このようにして、動画を含む画像を表示しながら、低音特性に優れたステレオ音響を楽しむことが可能になる。
さらに、音響データだけを受信した、低音特性に優れたステレオ音響の再生が可能になる。
【００４０】
次に、図３を用いて、携帯端末装置１ａ、１ｂにより構成される第１実施例の第３変形例の概略再生動作を説明する。
図３（ｂ）、（ｃ）に示すように、携帯端末装置１ａ、１ｂでは受信、再生が行われる。
【００４１】
画像の表示については、図１における第１実施例の再生動作の説明と同様である。
このようにして、動画を含む画像を表示しながらステレオ音響を楽しむことが可能になる。
さらに、音響データだけを受信することによる、ステレオ音響の再生が可能になる。
【００４２】
したがって、本発明によれば、携帯端末装置が外出時に常時携帯される性質のものであるため、外出先などでも容易に、動画を含む画像を表示しながら、ステレオの音響再生、サラウンド音響の再生が可能になり、さらに、簡易なホームシアタの実現が可能である。
図４は本発明に係る携帯端末装置の音響再生システムの第２実施例の概略構成を示す図である。
【００４３】
本図に示すように、携帯端末装置の音響再生システムの第２実施例は、第１実施例にテレビジョン（ＴＶ）１２０を追加した構成である。携帯端末装置１ａと携帯端末装置１ｂの間のテレビジョン１２０からはセンター音データ、画像データが受信、再生される。
【００４４】
なお、テレビジョン１２０に高音域センターとしての役目を持たせたり、又は、ボーカルや台詞の音声センターとしての役目を持たせてもよい。
また、携帯端末装置１ａ、１ｂ、１ｃ、１ｄ、１ｅの一部又は全て、さらにテレビジョン１２０には同一又は異なる画像を表示させることが可能である。
【００４５】
次に、第２実施例の第１〜第３変形例の概略構成を説明する。第２実施例の第１〜第３変形例は、図１における第１実施例の第１〜第３変形例の概略構成に、テレビジョン１２０を追加することにより構成される。
【００４６】
第２実施例の第１〜第３変形例では、テレビジョン１２０からはセンター音の代わりに低周波数域の低域音ＬＯＷが再生されるようにしてもよい。
次に、第２実施例の第４変形例の概略構成を説明する。第２実施例の第４変形例は、テレビジョン１２０がステレオ音響を再生できる場合、図４に示す第２実施例の構成から携帯端末装置１ａ、１ｂを削除し、数を低減した携帯端末装置１ｃ、１ｄ、１ｅにより構成され、それぞれで受信、再生し、低音特性に優れたサラウンド音響の再現を行う。
【００４７】
次に、第２実施例の第５変形例の概略構成を説明する。第２実施例の第５変形例は、テレビジョン１２０がステレオ音響を再生できる場合、図４に示す第２実施例の構成から携帯端末装置１ａ、１ｂ、１ｅを削除し、数を低減した携帯端末装置１ｃ、１ｄにより構成され、それぞれで受信、再生し、サラウンド音響の再現を行う。
【００４８】
図５は第２実施例の第６変形例の概略構成を示す図である。
本図に示すように、携帯端末装置の音響再生システムにおける第２実施例の第６変形例は、携帯端末装置１ａ、テレビジョン（ＴＶ）１２０から構成される。
携帯端末装置１ａ、テレビジョン１２０は同一の場に配置され、ステレオ音響、画像を再生する。
【００４９】
すなわち、それぞれ互いに離れた位置に設置される携帯端末装置１ａ、テレビジョン１２０のうち、携帯端末装置１ａからはステレオ音響の音Ｌ、画像が受信、再生され、テレビジョン１２０からはステレオ音響の音Ｒ、画像が受信、再生される。
【００５０】
携帯端末装置１ａ、テレビジョン１２０には同一又は異なる画像を表示させることが可能である。また、画像表示をテレビジョン１２０のみとし、携帯端末装置１ａを音響再生専用とするこもできる。
図６は図４における第２実施例の再生動作のうちテレビジョンについて説明する図である。
配信されるマルチメディアデータの構成と、携帯端末装置１ａ、１ｂ、１ｃ、１ｄ、１ｅにおけるデータ処理とは、図１における第１実施例の再生動作の説明を示す図３と同様である。
【００５１】
第２実施例、第２実施例の第１〜第３変形例の再生動作については、それぞれ図１における第１実施例、第１実施例の第１〜第３変形例の再生動作にテレビジョン１２０の再生動作を追加したものに相当する。
【００５２】
本図に示すように、テレビジョン１２０では、図３（ａ）に示す音センターとしての高域音ＨＩＧＨの音響データ、画像データが受信され、ＴＶ−ＯＵＴとして高域音ＨＩＧＨが再生され、画面に画像が再生される。
【００５３】
このようにして、５つの既存の携帯端末装置１ａ、１ｂ、１ｃ、１ｄ、１ｅ、テレビジョン１２０で、容易に画像と共にステレオの音響再生システムが構成され、臨場感溢れたホームシアターが構成される。
さらに、携帯端末装置１ａ、１ｂ、１ｃ、１ｄ、１ｅ、テレビジョン１２０の一部又は全ての画面に別々の画像が表示されるようにしてもよい。また、それら複数の画像はデータ配信サービスから提供可能である。また、その画像は動画であってもよい。
【００５４】
本構成にて、携帯端末装置の不足を補えると共に、大画面の利用も可能になる。また、既存のテレビ番組を視聴しながら、携帯端末装置にて、その番組にシンクロしたサラウンド音響のデータを専用サービスから別途受信・再生することもできる。
次に、図３及び図６を用いて、携帯端末装置１ｃ、１ｄ、１ｅとテレビジョン１２０により構成される第２実施例の第４変形例の再生動作を説明する。
図３（ｄ）、（ｅ）、（ｆ）に示すように、携帯端末装置１ｃ、１ｄ、１ｅでは受信、再生が行われる。
【００５５】
されに、図６に示すように、テレビジョン１２０では、図３（ａ）に示すサラウンド音響データＦＬ、ＦＲ、画像データが受信され、ＴＶ−ＯＵＴとして音ＦＬ、音ＦＲが再生され、画面に画像が表示される。
このようにして、携帯端末装置の数を低減すると共に、動画を含む画像を表示しながら、低音特性に優れたサラウンド音響の再現が可能となり、簡易のホームシアタが実現される。
【００５６】
次に、図３及び図６を用いて、携帯端末装置１ｃ、１ｄとテレビジョン１２０により構成される第２実施例の第５変形例の再生動作を説明する。
図３（ｄ）、（ｅ）に示すように、携帯端末装置１ｃ、１ｄでは受信、再生が行われる。
さらに、図６に示すように、テレビジョン１２０では、図３（ａ）に示すサラウンド音響データＦＬ、ＦＲ、画像データが受信され、ＴＶ−ＯＵＴとして音ＦＬ、音ＦＲが再生され、画面に画像が表示される。
【００５７】
このようにして、携帯端末装置の数を低減すると共に、動画を含む画像を表示しながら、サラウンド音響の再現が可能となり、簡易のホームシアタが実現される。
次に、図３及び図６を用いて、図５の第２実施例の第６変形例の概略再生動作を説明する。
【００５８】
図３（ｂ）に示すように、携帯端末装置１ａでは、受信、再生が行われる。
テレビジョン１２０では、図３（ａ）に示す音Ｒの音響データ、画像データが受信され、図６に示すように、ＴＶ−ＯＵＴとして音Ｒが再生され、画面に画像が再生される。
【００５９】
このようにして、１つの既存の携帯端末装置１ａ、テレビジョン１２０のみで、容易に画像と共にステレオの音響再生システムが構成されることにより、携帯端末装置の不足を補えると共に、大画面の利用も可能になる。また、テレビ番組を観ながら、そのテレビ番組とシンクロしたサラウンド音響のデータを専用サービスから別途受信することもできる。
【００６０】
図７は本発明に係る携帯端末装置の音響再生システムの第３実施例の概略構成でシリアル接続される例を示す図である。
本図に示すように、携帯端末装置の音響再生システムの第３実施例は、５つの携帯端末装置１ａ、１ｂ、１ｃ、１ｄ、１ｅから構成され、これらは聴取者５の周辺に配置され、サラウンド音響を再生する。携帯端末装置１ａのみで、受信電波２２ａを介して、サラウンド音響データＦＬ、ＦＲ、ＲＬ、ＲＲ、低音響ＬＯＷ、高音響ＨＩＧＨの音響データ、画像データを受信し、音ＦＬ、ＦＲ、ＲＬ、ＲＲ、低音響ＬＯＷ、高音響ＨＩＧＨの音響データ、画像データを、ケーブル２１ａ、２１ｂ、２１ｃ、２１ｄを介して、携帯端末装置１ｂ、１ｃ、１ｄ、１ｅに順次転送する。
【００６１】
ＬＯＷ音響を再生する携帯端末装置１ｅが低音特性に優れている場合には、より低音が優れた音響の実現が可能となる。
また、携帯端末装置１ｅの代わりに、携帯端末装置１ｃが外部のスピーカに接続され、スピーカは携帯端末装置１ｃから受信したＬＯＷ音響を出力する。これにより、携帯端末装置数の不足を補えるとともに、低音特性に優れたステレオ音響、サラウンド音響の聴取の実現がさらに有利となる。
【００６２】
この際、携帯端末装置１ｃと外部スピーカとの間にアンプを介在させることで、より低域音響に優れたサラウンド音響を実現することができる。
次に、第３実施例の第１変形例の概略構成を説明する。第３実施例の第１変形例は、図７に示す第３実施例の構成から携帯端末装置１ｅを削除し、数を４つに低減した携帯端末装置１ａ、１ｂ、１ｃ、１ｄにより構成され、１つの携帯端末装置で受信した受信電波をシリアルに接続した他の携帯端末装置に順次転送し、サラウンド音響の再現を行う。
【００６３】
この際、受信電波２２ａを介して、第３実施例と比較して、低音響ＬＯＷを除く音ＦＬ、ＦＲ、ＲＬ、ＲＲ、高音響ＨＩＧＨの音響データ、画像データが受信される。
次に、第３実施例の第２変形例の概略構成を説明する。第３実施例の第２変形例は、図７に示す第３実施例の構成から携帯端末装置１ｃ、１ｄを削除し、数を低減し、携帯端末装置１ｂに携帯端末装置１ｅを接続した携帯端末装置１ａ、１ｂ、１ｅにより構成され、１つの携帯端末装置で受信した受信電波をシリアルに接続した他の携帯端末装置に転送し、低音響を含むステレオ音響の再現を行う。
【００６４】
また、携帯端末装置１ｅの代わりに、携帯端末装置１ｂが外部のスピーカに接続され、スピーカは携帯端末装置１ｂから受信したＬＯＷ音響を出力することもできる。これにより携帯端末装置の数の不足を補えると共に、低音特性に優れたステレオ音響の聴取の実現がさらに有利となる。
この際、携帯端末装置１ｂと外部スピーカとの間にアンプを介在させることで、より優れた低音特性のステレオ音響を実現することが可能になる。
【００６５】
この際、受信電波２２ａを介して、第３実施例と比較して、サラウンド音響の音ＲＬ、音ＲＲを除く音ＦＬ、音ＦＲ、低音響ＬＯＷが受信される。さらに、音ＦＬ、音ＦＲの代わりに音Ｌ、音Ｒが受信されるようにしてもよい。
【００６６】
次に、図７を用いて、第３実施例の第３変形例の概略構成を説明する。第３実施例の第３変形例では第３実施例の構成から携帯端末装置１ｃ、１ｄ及び１ｅを削除し、数を低減した携帯端末装置１ａ、１ｂにより構成され、携帯端末装置１ａで受信した受信電波をシリアルに接続した他の携帯端末装置１ｂに転送し、ステレオ音響の再現を行う。
【００６７】
この際、受信電波２２ａを介して、第３実施例と比較して、低音響ＬＯＷ、サラウンド音響の音ＲＬ、音ＲＲを除く、音ＦＬ、音ＦＲが受信される。音ＦＬ、音ＦＲの代わりに音Ｌ、音Ｒが受信されるようにしてもよい。
図８は図７における第３実施例の第４変形例の概略構成を示す図である。
【００６８】
本図に示すように、携帯端末装置１ａは音ＦＬ、音ＲＬ、低音響ＬＯＷを、携帯端末装置１ｂは音ＦＲ、音ＲＲをそれぞれ受信し、携帯端末装置１ａから携帯端末装置１ｃ、１ｅに音ＲＬ、低音響ＬＯＷを転送し、携帯端末装置１ａから携帯端末装置１ｄに音ＲＲを転送するようにしてもよい。これにより、携帯端末装置から他の携帯端末装置への転送方法が新たに増え、携帯端末装置の組み合わせ方法の多様性が増すと共に、携帯端末装置１台あたりのデータ処理の負荷が低減できる。
【００６９】
また、携帯端末装置１ａはデータ配信サービスの音ＦＬ、ＲＬ、低音響ＬＯＷのみを配信するチャンネルに、携帯端末装置１ｂは音ＦＲ、ＲＲのみを配信するチャンネルに、それぞれ接続することもできる。
以上の他に、データ配信サービスからデータを受信する携帯端末装置にシリアルに接続されている他の携帯端末装置が３台以上あってもよく、又はシリアル接続が無くてもよく、データ配信サービスからデータを受信する携帯端末装置を３台又はそれ以上にしてもよい。
【００７０】
図９は、同一の構成である図７、図８の携帯端末装置１ａ、１ｂ、１ｃ、１ｄ、１ｅ各々の概略構成を示すブロック図である。
本図に示すように、図２と比較して、携帯端末装置１ａ、１ｂ、１ｃ、１ｄ、１ｅ各々には、音響データ再生部１０８に接続される信号授端子１１２Ａ、信号受端子１１２Ｂが追加され、信号授端子１１２Ａ、信号受端子１１２Ｂにケーブル２１ａ、２１ｂ、２１ｃが接続される。
【００７１】
一例として、図７では、携帯端末装置１ａの信号授端子１１２Ａと携帯端末装置１ｂの信号受端子１１２Ｂ間にはケーブル２１ａが接続され、携帯端末装置１ｂの信号授端子１１２Ａと携帯端末装置１ｃの信号受端子１１２Ｂ間にはケーブル２１ｂが接続され、携帯端末装置１ｂの信号授端子１１２Ａと携帯端末装置１ｃの信号受端子１１２Ｂ間にはケーブル２１ｃが接続される。
【００７２】
図１０は図７の第３実施例の再生動作を説明する図である。
本図（ａ）に示すように、音ＦＬ、ＦＲ、ＲＬ、ＲＲ、Ｌ、Ｒ、低域音ＬＯＷ、高域音ＨＩＧＨ、画像等のマルチメディアデータがデータ配信サービス等から配信されているとする。
本図（ｂ）に示すように、携帯端末装置１ａでは、受信電波２２ａを介して、本図（ａ）に示す音ＦＬ、ＦＲ、ＲＬ、ＲＲ、ＬＯＷの音響データ、さらに画像データが受信される。
【００７３】
本図（ｃ）に示すように、音響データ再生部１０８により、受信データから音ＦＬの音響データ、画像データを分割し復号化し音響用スピーカ１０９から音ＦＬが再生され、携帯端末装置１ａの画面に画像データが再生される。
本図（ｄ）に示すように、音響データ再生部１０８により受信データから音ＦＲ、ＲＬ、ＲＲ、ＬＯＷの音響データ、画像データを分割して携帯端末装置１ａから携帯端末装置１ｂにケーブル２１ａを介して転送が行われる。
【００７４】
同様に、本図（ｅ）、（ｆ）に示すように、携帯端末装置１ｂは、受信データのうち、音ＦＲ及び画像データを再生し、音ＲＬ、ＲＲ、ＬＯＷの音響データ、画像データを、ケーブル２１ｂを介して、携帯端末装置１ｄに転送する。
同様に、本図（ｇ）、（ｈ）に示すように、携帯端末装置１ｄは、受信データのうち、音ＲＲ及び画像データを再生し、音ＲＬ、ＬＯＷの音響データ、画像データを、ケーブル２１ｃを介して、携帯端末装置１ｃに転送する。
【００７５】
同様に、本図（ｉ）、（ｊ）に示すように、携帯端末装置１ｃは、受信データのうち、音ＲＬ及び画像データを再生し、ＬＯＷの音響データ、画像データを、ケーブル２１ｄを介して、携帯端末装置１ｅに転送し、携帯端末装置１ｅは受信したＬＯＷの音響データ、画像データを再生する。
このようにして、音響データ提供サービスサイトであるデータ配信サービスとの接続を１回線とし他の携帯端末装置とシリアル接続とすることにより、通信回線の混雑を回避すると共に、通信費用を低減しながら低音特性に優れたサラウンド音響を聴取することが可能になる。
【００７６】
なお、携帯端末装置１ａ、１ｂ、１ｃ、１ｄ、１ｅの画面に画像を表示しない場合には、画像を受信せず、音響データだけを受信することが可能である。画像の表示については、第１実施例と同様である。
次に、図１０を参照して、シリアル接続した携帯端末装置１ａ、１ｂ、１ｃ、１ｄにより構成される第３実施例の第１変形例の概略再生動作を説明する。
【００７７】
図１０（ｃ）、（ｅ）、（ｉ）、（ｇ）に示すように、携帯端末装置１ａ、１ｂ、１ｃ、１ｄで再生が行われる。なお、画像の表示については、図１における第１実施例の再生動作と同様に行われる。
このようにして、動画を含む画像を表示しながら、サラウンド音響を楽しむことが可能になる。
なお、携帯端末装置１ａ、１ｂ、１ｃ、１ｄの画面に画像を表示しない場合には、画像を受信せず、音響データだけを受信することが可能である。
【００７８】
次に、図１０を参照して、シリアル接続した携帯端末装置１ａ、１ｂ、１ｅにより構成される第３実施例の第２変形例の概略構成を説明する図である。
図１０（ｃ）、（ｅ）、（ｊ）に示すように、携帯端末装置１ａ、１ｂ、１ｅで再生が行われる。
画像の表示については、図１における第１実施例の再生動作の説明と同様である。
このようにして、動画を含む画像を表示しながら、低音特性に優れたステレオ音響を楽しむことが可能になる。
【００７９】
なお、携帯端末装置１ａ、１ｂ、１ｅの画面に画像を表示しない場合には、画像を受信せず、音響データだけを受信することが可能である。
次に、図１０を参照して、シリアル接続した携帯端末装置１ａ、１ｂにより構成される第３実施例の第３変形例の概略再生動作を説明する。
図１０（ｃ）、（ｅ）に示すように、携帯端末装置１ａ、１ｂで再生が行われる。画像の表示については、図１における第１実施例の再生動作と同様に行われる。
このようにして、動画を含む画像を表示しながら、ステレオ音響を楽しむことが可能になる。
なお、携帯端末装置１ａ、１ｂの画面に画像を表示しない場合には、画像を受信せず、音響データだけを受信することが可能である。
【００８０】
図１１は図８における第３実施例の第４変形例の再生動作を説明する図である。
本図（ａ）に示すように、音ＦＬ、ＦＲ、ＲＬ、ＲＲ、Ｌ、Ｒ、低域音ＬＯＷ、高域音ＨＩＧＨ、画像等のマルチメディアデータがデータ配信サービス等から配信されているとする。
本図（ｂ）に示すように、携帯端末装置１ａでは、受信電波２２ａを介して、本図（ａ）に示す音ＦＬ、ＲＬ、ＬＯＷの音響データ、さらに画像データが受信される。
【００８１】
本図（ｃ）に示すように、音響データ再生部１０８により、受信データから音ＦＬの音響データ、画像データを分割し復号化し音響用スピーカ１０９から音ＦＬが再生され、携帯端末装置１ａの画面に画像データが再生される。
本図（ｄ）に示すように、音響データ再生部１０８により受信データから音ＲＬ、ＬＯＷの音響データ、画像データを分割して携帯端末装置１ａから携帯端末装置１ｃにケーブル２１ｄを介して転送が行われる。
【００８２】
同様に、本図（ｅ）、（ｆ）に示すように、携帯端末装置１ｃは、受信データのうち、音ＲＬ及び画像データを再生し、音ＬＯＷの音響データ、画像データを、ケーブル２１ｅを介して、携帯端末装置１ｅに転送する。携帯端末装置１ｅは転送された音ＬＯＷの音響データ、画像データを再生する。
同様に、本図（ｇ）に示すように、携帯端末装置１ｂでは、受信電波２２ｂを介して、本図（ａ）に示す音ＦＲ、ＲＲの音響データ、さらに画像データが受信される。
同様に、本図（ｈ）、（ｉ）に示すように、携帯端末装置１ｂでは受信データのうち音ＦＲ及び画像データを再生し、音ＲＲの音響データ、画像データを、ケーブル２１ｂを介して携帯端末装置１ｄに転送する。携帯端末装置１ｄでは転送された音ＲＲの音響データ、画像データを再生する。
【００８３】
このようにして、動画を含む画像を表示しながら、優れたサラウンド音響を楽しむことが可能になる。
なお、携帯端末装置１ａ、１ｂ、１ｃ、１ｄ、１ｅの画面に画像を表示しない場合には、画像を受信せず、音響データだけを受信することが可能である。
【００８４】
図１２は本発明に係る携帯端末装置の音響再生システムの第４実施例の概略構成でシリアル接続される別の例を示す図である。
本図に示すように、第４実施例は、シリアル接続した携帯端末装置１ａ、１ｂ、１ｃ、１ｄ、１ｅとテレビジョン１２０により構成され、シリアル接続した携帯端末装置１ａ、１ｂ、１ｃ、１ｄ、１ｅの構成は、図７の説明と同様であり、テレビジョン１２０は図４におけるテレビジョン１２０の構成と同じであり、高域音ＨＩＧＨ、画像データを再生する。なお、上記画像データは、テレビ放送の電波から取得することもできる。その際、データ配信サービスはテレビ放送とシンクロしたデータを配信する。
【００８５】
この際、テレビジョン（ＴＶ）ではリアルタイムで放映されている番組を視聴し、携帯端末装置からは、テレビジョン（ＴＶ）番組と同調して配信される、テレビジョン（ＴＶ）番組を補うデータを再生させることもできる。
【００８６】
第４実施例の第１〜第４変形例は、図１２の第４実施例の概略構成に示すテレビジョン１２０と５つの携帯端末装置１ａ、１ｂ、１ｃ、１ｄ、１ｅから、図７、図８における第３実施例の第１〜第４変形例と同様に順次、携帯端末装置を削除し数を低減、或いは配線を変更した構成からなる。この際、第４実施例の第１変形例及び第３、第４変形例の構成にてテレビジョン１２０からはセンター音の代わり低周波数の低域音ＬＯＷが再生されるようにしてもよい。
【００８７】
次に、図１２を用いて、第４実施例の第５変形例の構成を説明する。第４実施例の第５変形例では、テレビジョン１２０がステレオ音響を再生できる場合、第４実施例の構成から携帯端末装置１ａ、１ｂを削除し、数を低減した携帯端末装置１ｃ、１ｄ、１ｅの構成で、低音特性に優れたサラウンド音響の再現が可能となる。この際、携帯端末装置１ｃが受信電波２２ａを受信し、携帯端末装置１ｄ、１ｅに順次転送する。
【００８８】
次に、図１２を用いて、第４実施例の第６変形例の構成を説明する。第４実施例の第６変形例では、テレビジョン１２０がステレオ音響を再生できる場合、第４実施例の構成から携帯端末装置１ａ、１ｂ，１ｅを削除し、数を低減した携帯端末装置１ｃ、１ｄの構成で、サラウンド音響の再現が可能となる。この際、携帯端末装置１ｃが受信電波２２ａを受信し、携帯端末装置１ｄに転送する。
【００８９】
次に、第４実施例の再生動作については図１０に示す第３実施例の再生動作にテレビジョン１２０の再生動作を追加したものであるので、説明を省略する。
同様に、第４実施例の第１〜第４変形例の再生動作については、第３実施例の第１〜第４変形例の再生動作にテレビジョン１２０の再生動作を追加したものであるので、説明を省略する。
【００９０】
同様に、第４実施例の第５、第６変形例の再生動作については、第４実施例の第２変形例、第３変形例とほぼ同様であるので説明を省略する。
なお、テレビジョン１２０（ＴＶ）だけでなく、携帯端末装置の画面にも、例えばデータサービスから専用に提供される画像を表示させるようにしてもよい。その画像はテレビジョン（ＴＶ）と同一のものであってもよいし、又はテレビジョン（ＴＶ）とは別で、かつテレビジョン（ＴＶ）を補完するようなものであってもよい。
【００９１】
このようにして、音響データ提供サービスサイトであるデータ配信サービスとの接続を１回線とし他の携帯端末装置とシリアル接続とすることにより、通信回線の混雑を回避し、通信費用を低減すると共に低音響、高域音に優れたサラウンドの音場を持ったホームシアタを視聴することが可能になる。
なお、テレビジョン１２０が音ＦＬ、ＦＲ、携帯端末装置１ｃ、１ｄが音ＲＬ、ＲＲを出力するようにしてもよい。これにより、簡易なホームシアタが実現される。
【００９２】
図１３はシリアル構成である図９の変形例であり、転送遅延時間の影響を無視できない場合の携帯端末装置１ａ、１ｂ、１ｃ、１ｄ、１ｅの各々の概略構成を示すブロック図である。
本図に示すように、図９と比較して、携帯端末装置１ａ、１ｂ、１ｃ、１ｄ、１ｅの各々には、音響データ再生部１０８に遅延部１１５が設けられ、遅延部１１５は、受信した音響データの再生を一定時間遅延させる。
【００９３】
携帯端末装置１ａから携帯端末装置１ｂに転送する例では、音響データ再生部１０８の遅延部１１５には転送遅延時間τ１が設定される。
例として、携帯端末装置１ａから携帯端末装置１ｄまでの転送遅延時間τ１ａ、携帯端末装置１ｂから携帯端末装置１ｄまでの転送遅延時間τ１ｂ、携帯端末装置１ｃから携帯端末装置１ｄまでの転送遅延時間τ１ｃが見積もられているとする。
【００９４】
携帯端末装置１ａの遅延部１１５に転送遅延時間τ１ａが設定され、携帯端末装置１ｂの遅延部１１５に転送遅延時間τ１ｂが設定され、携帯端末装置１ｃの遅延部１１５に転送遅延時間τ１ｃが設定される。
以下に、携帯端末装置１ａ、１ｂ、１ｃ、１ｄ、１ｅの音響データ再生部１０８に関する転送遅延発生時の再生動作を説明する。
【００９５】
図１４は図１３の携帯端末装置１ａ、１ｂ、１ｃ、１ｄ、１ｅにおける音響データ再生部１０８に関する転送遅延発生時の再生動作例を説明するフローチャートである。
本図（ａ）に示すように、ステップＳ３２１において、携帯端末装置１ａでは公衆回線から受信し復調した音ＦＬ、ＦＲ、ＲＬ、ＲＲ、ＬＯＷの音響データを音響データ再生部１０８に出力する。
【００９６】
ステップＳ３２２において、音響データ再生部１０８により、受信した音ＦＬ、ＦＲ、ＲＬ、ＲＲ、ＬＯＷの音響データから音ＦＬの音響データが分割され遅延部１１５により遅延処理される。
ステップＳ３２３において、分割された他方の音ＦＲ、ＲＬ、ＲＲ、ＬＯＷの音響データが携帯端末装置１ａの音響データ再生部１０８から、信号授端子１１２Ａ、ケーブル２１ａ、信号受端子１１２Ｂを経由して、携帯端末装置１ｂの音響データ再生部１０８に転送される。
【００９７】
ステップＳ３２４において、受信からτ１ａだけ遅延処理された音ＦＬの音響データが音響データ再生部１０８によりアナログの電気信号に復号され音響用スピーカ１０９により再生される。
同様に、携帯端末装置１ｂでは、本図（ｂ）に示すようにステップＳ３３１〜ステップＳ３３４の動作が行われる。この際、携帯端末装置１ｃへのデータ転送はケーブル２１ｂを介して行われ、音ＦＲの遅延処理は受信からτ１ｂとなる。
【００９８】
同様に、携帯端末装置１ｃでは、本図（ｃ）に示すようにステップＳ３４１〜ステップＳ３４４の動作が行われる。この際、携帯端末装置１ｄへのデータ転送はケーブル２１ｃを介して行われ、音ＲＬの遅延処理は受信からτ１ｃとなる。
【００９９】
同様に、携帯端末装置１ｄでは、本図（ｄ）に示すようにステップＳ３５１〜ステップＳ３５４の動作が行われる。この際、携帯端末装置１ｅへのデータ転送はケーブル２１ｄを介して行われ、音ＲＲの遅延処理は受信からτ１ｄとなる。
【０１００】
同様に、携帯端末装置１ｅでは、本図（ｅ）に示すようにステップＳ３５５、ステップＳ３５６の動作が行われる。この際、携帯端末装置１ｅは遅延回路をもったものでなくてもよい。
このようにして、再生開始時間を遅延させることにより、同期されたサラウンドの音響を再生し、音質改善を行うことが可能になる。
【０１０１】
図１５は、図１３におけるシリアル接続構成の携帯端末装置に関する転送遅延時の再生動作を説明するシーケンス図である。
本図に示すように、携帯端末装置１ａでは公衆回線から音ＦＬ、ＦＲ、ＲＬ、ＲＲ、ＬＯＷの音響データが受信され、携帯端末装置１ａの音響データ再生部１０８では音ＦＬの音響データが保持され、携帯端末装置１ａから携帯端末装置１ｂに音ＦＲ、ＲＬ、ＲＲ、ＬＯＷの音響データが転送され、携帯端末装置１ｂの音響データ再生部１０８では音ＦＲの音響データが保持され、携帯端末装置１ｂから携帯端末装置１ｃに音ＲＬ、ＲＲ、ＬＯＷの音響データが転送され、携帯端末装置１ｃの音響データ再生部１０８ではＲＬ音の音響データが保持され、携帯端末装置１ｃから携帯端末装置１ｄに音ＲＲの音響データが転送され、携帯端末装置１ｄの音響データ再生部１０８では音ＲＲの音響データが保持され、携帯端末装置１ｄから携帯端末装置１ｅに音ＬＯＷの音響データが転送される。
【０１０２】
なお、音響データ再生部１０８は、音響データを受信と同時に再生せず、スタート信号の受信を待って再生を行う。
携帯端末装置１ｅでは音、ＬＯＷの音響データを受信すると、音ＬＯＷが再生され、同時にスタート信号が携帯端末装置１ｄに伝送される。
【０１０３】
携帯端末装置１ｄではスタート信号を受信すると、音響データ再生部１０８に保持されている音響データから音ＲＲが再生され、同時にスタート信号が携帯端末装置１ｃに伝送される。
携帯端末装置１ｃでは、同様に音ＲＬが再生され、同時にスタート信号が携帯端末装置１ｂに伝送される。
【０１０４】
携帯端末装置１ｂでは、同様に音ＦＲが再生され、同時にスタート信号が携帯端末装置１ａに伝送される。
携帯端末装置１ａではスタート信号を受信すると、同様に音ＦＬが再生される。
【０１０５】
このようにして、携帯端末装置１ｅは再生準備が整った段階で、携帯端末装置１ｄ、１ｃ、１ｂ、１ａにケーブル２１ｄ、２１ｃ、２１ｂ、２１ａを介してスタート信号を返して、これを合図に携帯端末装置１ａ、１ｂ、１ｃ、１ｄ、１ｅ全ての音響再生が開始する。
【０１０６】
次に、上記のスタート信号はケーブル２１ｄ、２１ｃ、２１ｂ、２１ａをシリアルに経由して、携帯端末装置１ｅから携帯端末装置１ａに到達するため、ケーブル２１ｄ、ケーブル２１ｃ、ケーブル２１ｂ、ケーブル２１ａの伝送にかかる時間による遅延が問題となる場合に、携帯端末装置１ａ、１ｂ、１ｃ、１ｄ、１ｅの音響データ再生部１０８について再生動作の変形例を説明する。
【０１０７】
図１６は、図１５におけるスタート信号の伝送の遅延を説明するシーケンス図である。本図に示すように、携帯端末装置１ｅから携帯端末装置１ａまでのスタート信号の伝送の遅延時間τｓｅ、携帯端末装置１ｄから携帯端末装置１ａまでのスタート信号の伝送の遅延時間τｓｄ、携帯端末装置１ｃから携帯端末装置１ａまでのスタート信号の伝送の遅延時間τｓｃ、携帯端末装置１ｂから携帯端末装置１ａまでのスタート信号の伝送の遅延時間τｓｂが見積もられているとする。
【０１０８】
携帯端末装置１ｅの遅延部１１５に伝送遅延時間τｓｅが設定され、携帯端末装置１ｃの遅延部１１５に伝送遅延時間τｓｃが設定され、携帯端末装置１ｂの遅延部１１５に伝送遅延時間τｓｂが設定される。
以下に、携帯端末装置１ａ、１ｂ、１ｃ、１ｄ、１ｅの音響データ再生部１０８に関するスタート信号伝送遅延発生時の再生動作を説明する。
【０１０９】
図１７は図１３の携帯端末装置１ａ、１ｂ、１ｃ、１ｄ、１ｅにおける音響データ再生部１０８に関するスタート信号伝送の遅延発生時の再生動作例を説明するフローチャートである。
本図（ａ）に示すように、ステップＳ３６１において、携帯端末装置１ａでは公衆回線から受信し復調した音ＦＬ、ＦＲ、ＲＬ、ＲＲ、ＬＯＷの音響データを音響データ再生部１０８に出力する。
【０１１０】
ステップＳ３６２において、音響データ再生部１０８により、受信した音ＦＬ、ＦＲ、ＲＬ、ＲＲ、ＬＯＷの音響データから音ＦＬの音響データが分割され保持される。
ステップＳ３６３において、分割された他方の音ＦＲ、ＲＬ、ＲＲ、ＬＯＷの音響データが携帯端末装置１ａの音響データ再生部１０８から、信号授端子１１２Ａ、ケーブル２１ａ、信号受端子１１２Ｂを経由して、携帯端末装置１ｂの音響データ再生部１０８に転送される。
【０１１１】
ステップＳ３６４において、携帯端末装置１ｂからスタート信号を受信する。
ステップＳ３６５において、スタート信号受信時に保持した音ＦＬの音響データが音響データ再生部１０８によりアナログの電気信号に復号され音響用スピーカ１０９により再生される。
【０１１２】
同様に、携帯端末装置１ｂでは、本図（ｂ）に示すように、ステップＳ３７１〜Ｓ３７４の動作が行われる。この際、携帯端末装置１ｃとのデータ転送並びにスタート信号受信はケーブル２１ｂを介して行われる。さらに、ステップＳ３７５において、音ＦＲの再生開始時間の遅延処理を行う。
【０１１３】
ステップＳ３７６において、スタート信号が、携帯端末装置１ａの音響データ再生部１０８に信号授端子１１２Ａ、ケーブル２１ａ、信号受端子１１２Ｂを経由して、伝送される。
ステップＳ３７７において、スタート信号受信からτｓｂ後に音ＦＲの音響データが音響データ再生部１０８によりアナログの電気信号に復号され音響用スピーカ１０９により再生される。
【０１１４】
携帯端末装置１ｂと同様に、携帯端末装置１ｃでは、本図（ｃ）に示すようにステップＳ３８１〜Ｓ３８７の動作が行われる。この際、携帯端末装置１ｄとのデータ転送並びにスタート信号受信はケーブル２１ｂを介して行われ、音ＲＲの遅延処理は受信からτｓｃとなる。
【０１１５】
同様に、携帯端末装置１ｄでは、本図（ｄ）に示すようにステップＳ３８８〜Ｓ３９４の動作が行われる。この際、携帯端末装置１ｅとのデータ転送並びにスタート信号受信はケーブル２１ｃを介して行われ、音ＲＬの遅延処理は受信からτｓｄとなる。
【０１１６】
同様に、携帯端末装置１ｅでは、本図（ｅ）に示すようにステップＳ３９５〜Ｓ３９８の動作が行われる。この際、携帯端末装置１ｅへのデータ転送はケーブル２１ｄを介して行われ、音ＲＲの遅延処理は受信からτｓｅとなる。
【０１１７】
このようにして、スタート信号の伝送遅延があっても、同期されたサラウンドの音響を再生し、音質改善を行うことが可能になる。
【０１１８】
次に、携帯端末装置１ａ、１ｂ、１ｃ、１ｄ、１ｅの音響データ再生部１０８に関する転送遅延発生時にクロックに同期させて再生動作を行う変形例を、以下に説明する。
【０１１９】
図１８は図１３の変形例であり、転送遅延時間の影響を無視できない場合にクロックに同期させる携帯端末装置１ａ、携帯端末装置１ｂ、携帯端末装置１ｃ、携帯端末装置１ｄ、携帯端末装置１ｅの各々の概略構成を示すブロック図である。
【０１２０】
本図に示すように、図１５と比較して、携帯端末装置１ａ、１ｂ、１ｃ、１ｄ、１ｅの各々には、音響データ再生部１０８にクロック部１１６が設けられる。
携帯端末装置１ａ、１ｂ、１ｃ、１ｄ、１ｅは各自に装置間で同調されたクロックを持っている。
また、携帯端末装置１ａ、１ｂ、１ｃ、１ｄ、１ｅのうち音響データを再生する際に最大に遅延すべきは、携帯端末装置１ａの音響データである。
【０１２１】
この転送遅延時間τ１ａは、転送毎に分割処理、転送処理に要する転送遅延時間を蓄積した最大蓄積時間である。
クロック部１１６は、上記のクロックの刻み幅を上記の最大蓄積時間（τ１ａ）より大きく設定したクロックを、以下のように、発生する。
図１９はクロック部１１６により形成される同期用のクロックである。本図（ａ）に示すように、携帯端末装置１ａ、１ｂ、１ｃ、１ｄ、１ｅではそれぞれ相互に同調したクロックが生成されている。
【０１２２】
本図（ｂ）に示すように、携帯端末装置１ａ、１ｂ、１ｃ、１ｄの各音響データ再生部１０８では、ｔ＞τ１ａの周期を有し、それぞれが同調する同期用のクロックが形成される。
携帯端末装置１ａでは公衆回線から音ＦＬ、ＦＲ、ＲＬ、ＲＲ、ＬＯＷの音響データを受信、復調し、その後、音響データ再生部１０８のクロック部１１６で最初の同期用のクロックが発生すると、再生すべき音響データの分割処理、携帯端末装置１ｂへの転送処理を行う。
【０１２３】
これを機にして、携帯端末装置１ｂから携帯端末装置１ｃへの転送、さらに次の携帯端末装置１ｄ、１ｅへの転送と、次々に転送が行われる。
携帯端末装置１ａでは次にクロック部１１６から同期用のクロックが入力した時、携帯端末装置１ｂ、１ｃ、１ｄ、１ｅでは、音響データを受信した後にクロック部１１６で最初の同期用のクロックが発生すると、同時に再生が行われる。
【０１２４】
このように、クロック部１１６の同期用のクロックで再生のタイミングを取ることにより、同期されたサラウンドの音響が再生し、音質改善を行うことが可能になる。
なお、図１２に示すように、構成にテレビジョン１２０を含む場合には、テレビジョン１２０の音響データの遅延も考慮する。上記のタイミングで再生が遅延される。
【０１２５】
図２０は本発明に係る携帯端末装置の音響再生システムの第５実施例の概略構成でパラレル接続される例を示す図である。
本図に示すように、携帯端末装置の音響再生システムは、５つの携帯端末装置１ａ、１ｂ、１ｃ、１ｄ、１ｅ、テレビジョン（ＴＶ）１２０から構成され、５つの携帯端末装置１ａ、１ｂ、１ｃ、１ｄ、１ｅは視聴者５の周辺に配置され、サラウンド音、低域音を再生し、視聴者５の周辺に配置されるテレビジョン１２０は高域音ＨＩＧＨ、画像データを再生する。
【０１２６】
携帯端末装置１ａのみで、受信電波２２ａを介して、サラウンド音の音響データＦＬ、ＦＲ、ＲＬ、ＲＲ、低域音ＬＯＷの音響データ、画像データを受信し、音ＦＲ、ＲＬ、ＲＲの音響データ、低域音ＬＯＷの音響データ、画像データをケーブル２１ａ、２１ｂ、２１ｃ、２１ｄを介して、携帯端末装置１ｂ、１ｃ、１ｄ、１ｅに転送する。
【０１２７】
図２１は、図９の変形例であり、図２０における携帯端末装置１ａ、１ｂ、１ｃ、１ｄ、１ｅの各々の概略構成を示すブロック図である。
本図に示すように、図９と比較して、携帯端末装置１ａ、１ｂ、１ｃ、１ｄ、１ｅの各々には、音響データ再生部１０８に接続される信号授端子１１２Ａが信号授端子１１２Ａ−１、１１２Ａ−２、１１２Ａ−３、１１２Ａ−４に増設される。
【０１２８】
図２２は図２０の第５実施例の再生動作例を説明する図である。
本図（ａ）に示すように、音ＦＬ、ＦＲ、ＲＬ、ＲＲ、Ｌ、Ｒ低域音ＬＯＷ、高域音ＨＩＧＨ、画像等のマルチメディアデータがデータ配信サービス等から配信されているとする。
本図（ｂ）に示すように、携帯端末装置１ａでは、受信電波２２ａを介して、本図（ａ）に示す音ＦＬ、ＦＲ、ＲＬ、ＲＲ、低域音ＬＯＷ、高域音ＨＩＧＨの音響データ、画像データが受信される。
【０１２９】
本図（ｃ）に示すように、音響データ再生部１０８により受信データから音ＦＬの音響データ、画像データが分割され、復号化されて、音響用スピーカ１０９から音ＦＬが再生され、画面に画像が表示される。
本図（ｄ）に示すように、音響データ再生部１０８により受信データから音ＦＲの音響データ、画像データが分割されて、携帯端末装置１ａの信号授端子１１２Ａ−１からケーブル２１ａを介して、携帯端末装置１ｂの信号受端子１１２Ｂへ転送される。
【０１３０】
同様に、本図（ｅ）に示すように、音ＲＬの音響データ、画像データが分割されて、携帯端末装置１ａの信号授端子１１２Ａ−２からケーブル２１ｂを介して、携帯端末装置１ｃの信号受端子１１２Ｂへ転送される。
同様に、本図（ｆ）に示すように、音ＲＲの音響データ、画像データが処理されて、信号授端子１１２Ａ−３からケーブル２１ｃを介して、携帯端末装置１ｄの信号受端子１１２Ｂへ転送される。
【０１３１】
同様に、本図（ｇ）に示すように、低域音ＬＯＷの音響データ、画像データが処理されて、信号授端子１１２Ａ−３からケーブル２１ｄを介して、携帯端末装置１ｅの信号受端子１１２Ｂへ転送される。
本図（ｈ）に示すように、テレビジョン１２０では、高域音ＨＩＧＨの音響データ、画像データが受信され、再生される。
【０１３２】
携帯端末装置１ｂの音響データ再生部１０８により、ケーブル２１ａを介して、携帯端末装置１ａから音ＦＬの音響データ、画像データが受信され、復号化されて、音響用スピーカ１０９から音ＦＲが再生され、画面に画像が表示される。
同様に、携帯端末装置１ｃでは音ＲＬが再生され、画像データが表示される。
同様に、携帯端末装置１ｄでは音ＲＲが再生され、画像データが表示される。
同様に、携帯端末装置１ｅでは低域音ＬＯＷが再生され、画像データが表示される。
【０１３３】
このようにして、音響データ提供サービスサイトであるデータ配信サービスとの接続を１回線とし他の携帯端末装置とパラレル接続とすることにより、通信回線の混雑を回避すると共に、通信費用を低減しながら低域音、高域音が優れたサラウンド音響、画像を聴取することが可能になった。すなわち、ホームシアタの実現が可能になる。
【０１３４】
次に、図２０を用いて、第５実施例の第１変形例の概略構成を説明する。
携帯端末装置の音響再生システムは４つの携帯端末装置１ａ、１ｂ、１ｃ、１ｄ、テレビジョン（ＴＶ）１２０から構成され、４つの携帯端末装置１ａ、１ｂ、１ｃ、１ｄは視聴者５の周辺に配置され、サラウンド音響を再生し、視聴者５の周辺に配置されるテレビジョン１２０は低域音ＬＯＷ、画像データを再生する。携帯端末装置１ａのみで、受信電波２２ａを介して、サラウンド音響データＦＬ、ＦＲ、ＲＬ、ＲＲ、画像データを受信し、音ＦＲ、ＲＲ、ＲＬの音響データ、画像データを、ケーブル２１ａ、２１ｂ、２１ｃを介して、携帯端末装置１ｂ、１ｃ、１ｄに転送する。
【０１３５】
図２２を用いて、第５実施例の第１変形例の概略再生動作を説明する。
図２２（ｂ）、（ｃ）に示すように、携帯端末装置１ａでは受信、分割再生が行われる。
図２２（ｄ）〜（ｆ）に示すように携帯端末装置１ｂ、１ｃ、１ｄに分割転送が行われる。
【０１３６】
テレビジョン１２０では、高域音ＨＩＧＨの音響データ、画像データが受信され、再生される。
携帯端末装置１ｂ、１ｃ、１ｄでは受信再生が行われる。
次に、図２０を用いて、第５実施例の第２変形例の概略構成を説明する。
【０１３７】
携帯端末装置の音響再生システムは携帯端末装置１ａ、１ｂ、１ｅ、テレビジョン（ＴＶ）１２０から構成され、携帯端末装置１ａ、１ｂ、１ｅは視聴者５の周辺に配置され、サラウンド音響を再生し、視聴者５の周辺に配置されるテレビジョン１２０は高域音ＨＩＧＨ、画像データを再生する。
携帯端末装置１ａのみで、受信電波２２ａを介して、サラウンド音響データＦＬ、ＦＲ、低域音データＬＯＷを受信し、音ＦＲ、低域音ＬＯＷの音響データを、ケーブル２１ａ、２１ｂを介して、携帯端末装置１ｂ、１ｃに転送する。
【０１３８】
図２２を用いて、第５実施例の第２変形例の概略再生動作を説明する。
図２２（ｂ）、（ｃ）に示すように、携帯端末装置１ａでは受信、分割再生が行われる。
図２２（ｄ）、（ｇ）に示すように携帯端末装置１ｂ、１ｅに分割転送が行われ、携帯端末装置１ｂ、１ｃでは受信再生が行われる。
【０１３９】
テレビジョン１２０では、高域音ＨＩＧＨの音響データ、画像データが受信される。
次に、図２０を用いて、第５実施例の第３変形例の概略構成を説明する。
携帯端末装置の音響再生システムは４つの携帯端末装置１ａ、１ｂ、１ｃ、１ｄから構成され、４つの携帯端末装置１ａ、１ｂ、１ｃ、１ｄは視聴者５の周辺に配置され、サラウンド音響を再生し、視聴者５の周辺に配置されるテレビジョン１２０は低域音ＬＯＷ、画像データを再生する。携帯端末装置１ａのみで、受信電波２２ａを介して、サラウンド音響データＦＬ、ＦＲ、ＲＬ、ＲＲ、画像データを受信し、音ＦＲ、ＲＲ、ＲＬの音響データ、画像データを、ケーブル２１ａ、２１ｂ、２１ｃを介して、携帯端末装置１ｂ、１ｃ、１ｄに転送する。
【０１４０】
第５実施例の第１、２変形例において、テレビジョン１２０を削除する構成も可能である。
さらに、第５実施例の第３変形例において、テレビジョン１２０がステレオ出力とすることも可能である。
図２３は、一例として図２０の構成の転送時に発生する遅延を説明する図である。本図（ａ）に示すように携帯端末装置１ａから携帯端末装置１ｂ、携帯端末装置１ｃ、携帯端末装置１ｄ、携帯端末装置１ｅに音響データをパラレルに転送する際に、分割処理、転送処理に時間がかかり転送遅延時間τ２が生じる場合がある。
【０１４１】
本図（ｂ）に示すように、転送遅延を無視できない場合の図２０の携帯端末装置１ａ、１ｂ、１ｃ、１ｄ、１ｅの各々には、図２１と比較して、制御部１０３の音響データ再生部１０８に遅延部１１５が設けられる。
携帯端末装置１ｂ、１ｃ、１ｄ、１ｅを除き、携帯端末装置１ａにおける音響データ再生部１０８の遅延器１１５だけに、転送遅延時間τ２が設定される。
【０１４２】
図２４は図２０の携帯端末装置１ａ、１ｂ、１ｃ、１ｄ、１ｅにおける音響データ再生部１０８に関する遅延発生時の再生動作例を説明するフローチャートである。
本図（ａ）に示すように、ステップＳ４０１において、携帯端末装置１ａでは公衆回線から受信し復調した音ＦＬ、ＦＲ、ＲＬ、ＲＲ、低域音ＬＯＷの音響データを音響データ再生部１０８に出力する。
【０１４３】
ステップＳ４０２において、音響データ再生部１０８により、受信した音ＦＬ、ＦＲ、ＲＬ、ＲＲ、低域音ＬＯＷの音響データから音ＦＬの音響データが分割され遅延処理される。
ステップＳ４０３において、分割された他方の音ＦＲ、ＲＬ、ＲＲ、低域音ＬＯＷの音響データから音ＦＲの音響データが分割され携帯端末装置１ｃに転送される。
【０１４４】
ステップＳ４０４において、分割された他方の音ＲＬ、ＲＲ、低域音ＬＯＷの音響データから音ＲＬの音響データが分割され携帯端末装置１ｃに転送される。
ステップＳ４０５において、分割された他方の音ＲＲ、低域音ＬＯＷの音響データが携帯端末装置１ｄに転送される。
【０１４５】
ステップＳ４０７において、分割された残りの低域音ＬＯＷの音響データが携帯端末装置１ｄに転送される。
ステップＳ４０６において、受信からτ２だけ遅延処理された音ＦＬの音響データが音響データ再生部１０８によりアナログの電気信号に復号され音響用スピーカ１０９により再生される。
【０１４６】
本図（ｂ）に示すように、ステップＳ４１１において、携帯端末装置１ａから携帯端末装置１ｂに転送された音ＦＲの音響データが音響データ再生部１０８に受信される。
ステップＳ４１２において、受信した音ＦＲの音響データが携帯端末装置１ｂの音響データ再生部１０８によりアナログの電気信号に復号され音響用スピーカ１０９により再生される。
【０１４７】
同様に、本図（ｃ）に示すように、ＲＬ音の音響データが携帯端末装置１ｃにより再生される。
同様に、本図（ｄ）に示すように、ＲＲ音の音響データが携帯端末装置１ｄにより再生される。
同様に、本図（ｅ）に示すように、ＬＯＷ音の音響データが携帯端末装置１ｅにより再生される。
このように、パラレルに接続された携帯端末装置でも同期されたサラウンドの音響が再生され、音質改善を行うことが可能になる。
【０１４８】
図２５は、図９、図２１の変形例であり、携帯端末装置１ａ、１ｂ、１ｃ、１ｄ、１ｅの各々の概略構成を示すブロック図である。
本図に示すように、図９、図２１と比較して、携帯端末装置１ａ、１ｂ、１ｃ、１ｄ、１ｅの各々には、音響データ再生部１０８に接続される信号授受端子として無線モジュール端子１１２Ｃが設けられる。無線モジュール端子１１２ＣはＰＨＳのトランシーバモード、ｂｌｕｅｔｏｏｔｈのように通信相手を特定できるような無線方式を使用した端子である。
【０１４９】
すなわち、無線モジュール１１２Ｃを用いることで、図７、図８、図１２に示すように、テレビジョン１２０を含む又は含まない構成のシリアル接続に代わり、携帯端末装置間で音響データ、画像データの転送を行うことが可能になる。
さらに、無線モジュール１１２Ｃを用いることで、図２０に示すようなテレビジョン１２０を含む又は含まない構成のパラレル接続に代わり、携帯端末装置間で音響データ、画像データの転送を行うことが可能になる。
【０１５０】
このように、無線モジュールを用いることで、本システム周辺を人が移動した際に引っかかるなどのようにケーブルが障害となることを回避できると共に、外出先で本システムを用いてステレオの音響を再生する際に、ケーブルを持参する手間を省くことができる。
図２６は図２１の変形例であり、携帯端末装置１ａ、１ｂ、１ｃ、１ｄ、１ｅの各々の概略構成を示すブロック図である。
【０１５１】
本図に示すように、図２１と比較して、携帯端末装置１ａ、１ｂ、１ｃ、１ｄ、１ｅの各々には、記憶装置として、制御部１０３に接続するメモリ部１１７が設けられ、メモリ部１１７としては、携帯端末装置１ａ、１ｂ、１ｃ、１ｄ、１ｅの内部記憶装置の容量が十分大きい場合には、内部記憶装置が使用され、十分でない場合には、外部記憶装置、記憶媒体を使用してもよい。記憶媒体としては、コンパクトフラッシュ（登録商標）メモリカード、スマートメディア、メモリスティック、ＳＤメモリカードなどを使用してもよい。
【０１５２】
メモリ部１１７には公衆回線を介してデータ配信サービスからダウンロードされる音響データが格納される。
また、ダウンロードステーションからダウンロードされた音響データを使用するようにしてもよい。また、音響データに格納された音楽ソフトウエアを直接購入して使用するようにしてもよい。
【０１５３】
携帯端末装置１ａの音響データ再生部１０８は、以下のように、ダウンロードした音響データを再生し、同時に携帯端末装置１ｂの音響データ再生部１０８にダウンロードされた音響データを転送し再生させる。
【０１５４】
図２７は、携帯端末装置１ａと携帯端末装置１ｂ間における図２６の音響データ再生部１０８に関する再生動作で、回線接続時間を節約する例を説明するフローチャートである。
本図（ａ）に示すように、ステップＳ４４１において、携帯端末装置１ａと公衆回線の接続を行い、公衆回線から受信し復調した音Ｌ、音Ｒの音響データを音響データ再生部１０８に出力する。
【０１５５】
ステップＳ４４２において、音響データ再生部１０８はＬ音、Ｒ音の音響データをメモリ部１１７にダウンロードする。メモリ部１１７にダウンロードされた音響データがそのまま、又は圧縮した状態で保存される。ダウンロードする圧縮音響データの形式には、例えば、ＭＰ３などがある。
ステップＳ４４３において、メモリ部１１７への保存終了後一旦公衆回線の接続が切断される。
【０１５６】
ステップＳ４４４において、音響データ再生部１０８はメモリ部１１７からＬ音、Ｒ音の音響データを読み出する。
ステップＳ４４５において、Ｌ音の音響データを分割し再生する。
ステップＳ４４６において、分割された他方のＲ音の音響データが携帯端末装置１ａの音響データ再生部１０８から、信号授端子１１２Ａ、ケーブル２１ａ、信号受端子１１２Ｂを経由して、携帯端末装置１ｂの音響データ再生部１０８に転送される。
【０１５７】
本図（ｂ）に示すように、ステップＳ４５１において、携帯端末装置１ａから転送されたＲ音の音響データが音響データ再生部１０８に受信される。
ステップＳ４５２において、受信したＲ音の音響データが音響データ再生部１０８によりアナログの電気信号に復号化され、音響用スピーカ１０９により再生される。
【０１５８】
なお、一旦ダウンロードした音響データは繰り返し再生することが可能である。
このようにして、回線接続時間を気にせずに、音響を聴取したい時にはいつでも、しかも何度でも繰り返し音響が聴取可能である。
また、ダウロードと平行して再生を行ってもよい。
【０１５９】
また、ダウンロードに必要な容量の記憶媒体を必要な数用いることで、自分の手元でデータライブラリが実現でき、同一データを繰り返しダウンロードすることが回避できる。
このようにして、同じ音響データに対しては、回線接続時間を節約できる。
図２８は図２６の変形例であり、携帯端末装置１ａ、１ｂ、１ｃ、１ｄ、１ｅの各々の概略構成を示すブロック図である。
【０１６０】
本図に示すように、図２６と比較して、無線モジュール端子１１１Ｃを設け、無線モジュール端子１１１Ｃを用いて、メモリ部１１７に格納されている音響データを他の携帯端末装置に転送するようにしてもよい。
このようにして、同じ音響データに対しては、回線接続時間を節約できると同時に、ケーブル障害がなくなる。
【０１６１】
図２９は本発明に係る携帯端末装置の音響再生システムにおける第６実施形態の概略構成で、情報機器から音響データを取得する例を示す図である。
本図に示すように、携帯端末装置の音響再生システムは、２つの携帯端末装置１ａ、１ｂから構成される。
２つの携帯端末装置１ａ、１ｂは同一の場に配置され、ステレオ音響を再生する。
【０１６２】
すなわち、それぞれ互いに離れた位置に設置される２つの携帯端末装置１ａ、１ｂのうち、携帯端末装置１ａからは音Ｌ、ビデオが再生され、携帯端末装置１ｂからは音Ｒ、ビデオが再生される。
本図に示すように、ステレオの分離装置３１はヘッドホンステレオ、ＡＶ機器、パーソナルコンピュータ等の情報機器のステレオ出力端子に接続され、音Ｌ、Ｒの音響データ、ビデオデータに分離し、分離データをケーブル２１ａ、ケーブル２１ｂに出力する。
【０１６３】
家庭内では任意の場所で音響データの再生が可能なり、音源の多様性を確保でき、さらに、回線の混雑、回線使用料に左右されることがなくなる。
図３０は図２９の携帯端末装置１ａ、１ｂの各々の概略構成を示すブロック図である。本図に示すように、図２と比較して異なるのは信号受端子１１２Ｂである。携帯端末装置１ａ、１ｂの各々の信号受端子１１２Ｂはケーブル２１ａ、２１ｂに接続される。
【０１６４】
情報機器はヘッドホンステレオ、ＡＶ機器、パーソナルコンピュータ等で構成され、予め音響データを含むマルチメディアデータを有する。情報機器の出力端子から分離装置３１、ケーブル２１ａ、２１ｂを経由して、信号受端子１１２Ｂで音響データ、画像データを取得することが可能になる。
【０１６５】
また、電話回線を介してインターネット上の音響データを含むマルチメディアデータ、ＣＡＴＶ（ケーブルテレビジョン）等の回線を介して映画、音楽演奏のような音響データを含むマルチメディアデータを上記の情報機器を経由して取得することが可能である。
次に、図６を用いて、図２９の第６実施例の概略再生動作を説明する。
【０１６６】
図６（ａ）に示すように、音ＦＬ、ＦＲ、ＲＬ、ＲＲ、低域音ＬＯＷ、高域音ＨＩＧＨＴ、画像等を含むマルチメディアデータが情報機器から提供されているとする。
図６（ｂ）に示すように、携帯端末装置１ａの音響データ再生部１０８では、ケーブル２１ａを介して、本図（ａ）に示す音ＦＬの音響データが受信され、復号化され、音響スピーカ１０９から音Ｌが再生される。さらに、本図（ａ）に示す画像データが受信され、画面に表示される。
【０１６７】
本図（ｃ）に示すように、携帯端末装置１ｂでは、ケーブル２１ｂを介して、本図（ａ）に示す音ＦＲの音響データ、画像データが受信され、音響データ再生部１０８により復号化されて、音響用スピーカ１０９から音Ｒが再生される。さらに、本図（ａ）に示す画像データが受信され、画面に表示される。
図３１は図２９の第６実施例の第１変形例である。本図に示すように、図２９と比較して、携帯端末装置の音響再生システムは、３つの携帯端末装置１ａ、１ｂ、１ｃから構成される。３つの携帯端末装置１ａ、１ｂ、１ｃは視聴者５の周辺に配置され、低音特性に優れたステレオ音響、画像を再生する。
【０１６８】
すなわち、それぞれ互いに離れた位置に設置される３つの携帯端末装置１ａ、１ｂ、１ｃのうち、携帯端末装置１ａからは音ＦＬ、画像が再生され、携帯端末装置１ｂからは音ＦＲ、画像が再生され、携帯端末装置１ｃからは音ＬＯＷが再生される。
【０１６９】
図２９と比較して、ステレオの分離装置３１に代わってステレオの無線式分離コネクタ３２が設けられ、ステレオの無線式分離コネクタ３２は、無線信号２３ａにて音ＦＬの音響データ、画像データを、無線信号２３ｂにて音ＦＲの音響データ、画像データを、無線信号２３ｃにて音ＬＯＷの音響データをそれぞれ携帯端末装置１ａ、１ｂ、１ｃに送信する。ステレオの分離コネクタが低音域ＬＯＷを分離する機能を持たない時には、携帯端末装置１ｃは音Ｌと音Ｒの双方を受信し、ＬＯＷパスフィルタを用いるなどして低域音ＬＯＷを分離・再生することもできる。
【０１７０】
なお、無線式分離装置３２は、例えば、ＰＨＳのトランシーバモード、ｂｌｕｅｔｏｏｔｈのように通信相手を特定できるような無線方式を用いた無線モジュールであり、ヘッドホンステレオ、ＡＶ機器、パーソナルコンピュータ等の情報機器のステレオ出力端子に接続される。
【０１７１】
図３２は図３０の変形例であり、図３１の携帯端末装置１ａ、１ｂ、１ｃの概略構成を示す図である。本図に示すように、図３０と比較して、無線モジュール端子１１２Ｃが設けられ、無線モジュール端子１１２Ｃは、例えば、ＰＨＳのトランシーバモード、ｂｌｕｅｔｏｏｔｈのように通信相手を特定できるような無線方式を用いた無線モジュールであり、無線式分離装置３２と無線通信を行い、音響データを受信する。
【０１７２】
これにより、配線の煩わしさ、移動時のケーブルを引っかけるといったようにケーブルが障害となるような事態を回避できると共に、外出先で本システムを用いてステレオ音響再生を実現する際に、ケーブルを持参する手間が省ける。
次に、図３１を用いて、第６実施例の第２変形例の概略構成を説明する。
携帯端末装置の音響再生システムは、図３１に示す３つの携帯端末装置１ａ、１ｂだけから構成されるようにしてもよい。
【０１７３】
２つの携帯端末装置１ａ、１ｂは同一の場に配置され、ステレオ音響、画像を再生する。
すなわち、それぞれ互いに離れた位置に設置される２つの携帯端末装置１ａ、１ｂのうち、携帯端末装置１ａからは音Ｌ、画像データが再生され、携帯端末装置１ｂからは音Ｒ、画像データが再生される。
【０１７４】
ステレオの無線式分離コネクタ３２は、無線信号２３ａにて音Ｌの音響データ、画像データを、無線信号２３ｂにて音Ｒの音響データ、画像データをそれぞれ携帯端末装置１ａ、１ｂに送信する。
図３３は図２９の第６実施例の第３変形例である。本図に示すように、携帯端末装置の音響再生システムは、３つの携帯端末装置１ａ、１ｂ、１ｃとパーソナルコンピュータ１３０から構成される。
【０１７５】
３つの携帯端末装置１ａ、１ｂ、１ｃ、パーソナルコンピュータ１３０は視聴者５の周辺に配置され、サラウンド音響を再生する。
すなわち、それぞれ互いに離れた位置に設置される２つの携帯端末装置１ａ、１ｂ、１ｃのうち、携帯端末装置１ａからは音ＲＬが再生され、携帯端末装置１ｂからは音ＲＲが再生される。
【０１７６】
パーソナルコンピュータ１３０のスピーカ１３１ａ、１３１ｂからは音ＦＬ、ＦＲが再生される。
本図に示すように、ステレオの分離装置３１はパーソナルコンピュータ１３０のステレオ出力端子に接続され、音ＲＬ、ＲＲ、低域音ＬＯＷの音響データに分離し、分離データを無線信号２３ａ、２３ｂ、２３ｃを介して、携帯端末装置１ａ、１ｂ、１ｃに出力する。
【０１７７】
次に、図３３を用いて、第６実施例の第４変形例の概略構成を説明する。
携帯端末装置の音響再生システムは、図３３に示す２つの携帯端末装置１ａ、１ｂとパーソナルコンピュータ１３０から構成されるようにしてもよい。
２つの携帯端末装置１ａ、１ｂ、パーソナルコンピュータ１３０は視聴者５の周辺に配置され、サラウンド音響を再生する。
【０１７８】
すなわち、それぞれ互いに離れた位置に設置される２つの携帯端末装置１ａ、１ｂのうち、携帯端末装置１ａからは音ＲＬが再生され、携帯端末装置１ｂからは音ＲＲが再生される。
パーソナルコンピュータ１３０のスピーカ１３１ａ、１３１ｂからは音ＦＬ、ＦＲが再生される。
【０１７９】
ステレオの分離装置３１はパーソナルコンピュータ１３０のステレオ出力端子に接続され、音ＲＬ、ＲＲの音響データに分離し、分離データを無線信号２３ａ、２３ｂを介して、携帯端末装置１ａ、１ｂに出力する。
第６実施例の第３変形例、第４変形例において、パーソナルコンピュータ１３０をノート型パーソナルコンピュータに置換してもよい。
【０１８０】
図３４は、一例として、図３３のパーソナルコンピュータ１３０のスピーカ１３１ａ、１３１ｂの入力データを遅延する例を示す図である。
本図（ａ）に示すように、音ＦＬ、ＦＲを再生するパーソナルコンピュータ１３０のスピーカ１３１ａ、１３１ｂの入力側に遅延器１３２ａ、１３２ｂが設けられる。
【０１８１】
本図（ｂ）に示すように、パーソナルコンピュータ１３０から携帯端末装置１ａ、１ｂへの転送遅延が無視できない場合には、遅延器１３２ａ、１３２ｂに対する遅延時間τｐ１、τｐ２が設定される。
これらの遅延器１３２ａ、１３２ｂにより、パーソナルコンピュータ１３０から携帯端末装置１ａ、携帯端末装置１ｂへの音響データの転送に時間遅れτが生じる場合には、パーソナルコンピュータ１３０のスピーカ１３１ａ、１３１ｂによる再生がτｐ１、τｐ２分だけ遅延して行われる。
【０１８２】
このようにして、パーソナルコンピュータ等の情報機器に接続された場合に遅延による音質改善を行うことが可能になる。
図３５は取得データの選択制御を説明するフローチャートである。
本図（ａ）に示すように、ステップＳ４４１において、携帯端末装置の制御部１０３では取得データの選択要求があるか否かを判断する。要求がなければ、処理を終了する。
【０１８３】
ステップＳ４４２において、取得データの選択要求がある場合には、受信電波によるデータ取得の要求があるか否かを判断する。要求がなければ、ステップＳ４４４に進む。
ステップＳ４４３において、受信電波によるデータ取得の要求がある場合には、音響データ／画像データの受信、再生が行われ、処理を終了する。
【０１８４】
ステップＳ４４４において、情報機器からのデータ取得の要求があるか否かを判断する。要求があればステップＳ４４３に進み、要求がなければステップＳ４４５に進む。
ステップＳ４４５において、メモリ部１１７からのデータ取得の要求があるか否かを判断する。要求があればステップＳ４４３に進み、要求がなければ処理を終了する。
【０１８５】
このようにして、種々の音響データを含むマルチメディアデータにアクセスすることが容易になる。
以上の説明では、音響データを含むマルチメディアデータの取得を前提に説明したが、音響データを含まないマルチメディアデータに対しても本発明の適用が可能である。例えば、複数の携帯端末装置同士で同一のゲームデータをダウンロードしてゲームを行うことなども可能である。
【０１８６】
例えば、図７の第３実施例、図１２の第４実施例、図２０の第５実施例、図２９の第６実施例などにおいて、携帯端末装置がデータ取得時にデータの取得元から電力を供給されるようにしてもよい。電力不足に対応するためである。
【０１８７】
【発明の効果】
以上説明したように、本発明によれば、音響スピーカにより音響データを再生し、音響機器と共同して音響スピーカに音響データを再生させ、取得した画像データを表示させるようにしたので、外出先でステレオ音、低域音、高域音、サラウンド音の再生が可能になり、さらに、簡易な、又は臨場感に溢れたホームシアタを実現することが可能になった。
【図面の簡単な説明】
【図１】本発明に係る携帯端末装置の音響再生システムの第１実施例の概略構成で個々に受信を行う例を示す図である。
【図２】図１の携帯端末装置１ａ、１ｂ、１ｃ、１ｄ、１ｅの各々の概略構成を示すブロック図である。
【図３】図１における第１実施例の再生動作を説明する図である。
【図４】本発明に係る携帯端末装置の音響再生システムの第２実施例の概略構成を示す図である。
【図５】第２実施例の第１変形例の概略構成を示す図である。
【図６】図４の第２実施例の再生動作を説明する図である。
【図７】本発明に係る携帯端末装置の音響再生システムの第３実施例の概略構成でシリアル接続される例を示す図である。
【図８】図７における第３実施例の第４変形例の概略構成を示す図である。
【図９】図７、図８の携帯端末装置１ａ、１ｂ、１ｃ、１ｄ、１ｅの各々の概略構成を示すブロック図である。
【図１０】図７の第３実施例の再生動作を説明する図である。
【図１１】図８における第３実施例の第４変形例の再生動作を説明する図である。
【図１２】本発明に係る携帯端末装置の音響再生システムの第４実施例の概略構成でシリアル接続される別の例を示す図である。
【図１３】図５の変形例であり、転送遅延時間の影響を無視できない場合の携帯端末装置１ａ、１ｂ、１ｃ、１ｄ、１ｅの各々の概略構成を示すブロック図である。
【図１４】図１３の携帯端末装置１ａ、１ｂ、１ｃ、１ｄにおける音響データ再生部１０８に関する転送遅延発生時の再生動作例を説明するフローチャートである。
【図１５】図１３におけるシリアル接続構成の携帯端末装置に関する転送遅延時の再生動作を説明するシーケンス図である。
【図１６】図１５におけるスタート信号の伝送の遅延を説明するシーケンス図である。
【図１７】図１３の携帯端末装置１ａ、１ｂ、１ｃ、１ｄにおける音響データ再生部１０８に関するスタート信号伝送の遅延発生時の再生動作例を説明するフローチャートである。
【図１８】図１３の変形例であり、転送遅延時間の影響を無視できない場合にクロックに同期させる携帯端末装置１ａ、携帯端末装置１ｂ、携帯端末装置１ｃ、携帯端末装置１ｄの各々の概略構成を示すブロック図である。
【図１９】クロック部１１６により形成される同期用のクロックである。
【図２０】本発明に係る携帯端末装置の音響再生システムの第５実施例の概略構成でパラレル接続される例を示す図である。
【図２１】図９の変形例であり、図２０における携帯端末装置１ａ、１ｂ、１ｃ、１ｄ、１ｅの各々の概略構成を示すブロック図である。
【図２２】図２０の第５実施例の再生動作例を説明する図である。
【図２３】一例として図２０の構成の転送時に発生する遅延を説明する図である。
【図２４】図２０の携帯端末装置１ａ、１ｂ、１ｃ、１ｄ、１ｅにおける音響データ再生部１０８に関する遅延発生時の再生動作例を説明するフローチャートである。
【図２５】図９、図２１の変形例であり、携帯端末装置１ａ、１ｂ、１ｃ、１ｄ、１ｅの各々の概略構成を示すブロック図である。
【図２６】図２１の変形例であり、携帯端末装置１ａ、１ｂ、１ｃ、１ｄ、１ｅの各々の概略構成を示すブロック図である。
【図２７】携帯端末装置１ａと携帯端末装置１ｂ間における図２６の音響データ再生部１０８に関する再生動作で、回線接続時間を短縮する例を説明するフローチャートである。
【図２８】図２６の変形例であり、携帯端末装置１ａ、１ｂ、１ｃ、１ｄ、１ｅの各々の概略構成を示すブロック図である。
【図２９】本発明に係る携帯端末装置の音響再生システムにおける第６実施形態の概略構成で、情報機器から音響データを取得する例を示す図である。
【図３０】図２９の携帯端末装置１ａ、１ｂの各々の概略構成を示すブロック図である。
【図３１】図２９の第６実施例の第１変形例である。
【図３２】図３０の変形例であり、図３１の携帯端末装置１ａ、１ｂ、１ｃの概略構成を示す図である。
【図３３】図２９の第６実施例の第３変形例である。
【図３４】一例として、図３３のパーソナルコンピュータ１３０のスピーカ１３１ａ、１３１ｂの入力データを遅延する例を示す図である。
【図３５】取得データの選択制御を説明するフローチャートである。
【符号の説明】
１ａ、１ｂ、１ｃ、１ｄ、１ｅ…携帯端末装置
５…視聴者、聴取者
２１ａ、２１ｂ、２１ｃ…ケーブル
２２ａ、２２ｂ、２２ｃ、２２ｄ…受信電波
２３ａ、２３ｂ、２３ｃ…無線信号
３１…分離装置
３２…無線式分離装置
１０１…アンテナ
１０２…送受信部
１０３…制御部
１０４…表示部
１０５…入力部
１０６…送話器
１０７…受話器
１０８…音響データ再生部
１０９…音響用スピーカ
１１２Ａ、１１２Ａ−１、１１２Ａ−２、１１２Ａ−３、１１２Ａ−４…信号授端子
１１２Ｂ…信号受端子
１１２Ｃ…無線モジュール入力端子
１１５…遅延部
１１６…クロック部
１１７…メモリ部
１２０…テレビジョン
１３０…パーソナルコンピュータ
１３１ａ、１３１ｂ…音響スピーカ
１３２ａ、１３２ｂ…遅延器
【図１】
0004766440.tif 000002
【図２】
0004766440.tif 000003
【図３】
0004766440.tif 000004
【図４】
0004766440.tif 000005
【図５】
0004766440.tif 000006
【図６】
0004766440.tif 000007
【図７】
0004766440.tif 000008
【図８】
0004766440.tif 000009
【図９】
0004766440.tif 000010
【図１０】
0004766440.tif 000011
【図１１】
0004766440.tif 000012
【図１２】
0004766440.tif 000013
【図１３】
0004766440.tif 000014
【図１４】
0004766440.tif 000015
【図１５】
0004766440.tif 000016
【図１６】
0004766440.tif 000017
【図１７】
0004766440.tif 000018
【図１８】
0004766440.tif 000019
【図１９】
0004766440.tif 000020
【図２０】
0004766440.tif 000021
【図２１】
0004766440.tif 000022
【図２２】
0004766440.tif 000023
【図２３】
0004766440.tif 000024
【図２４】
0004766440.tif 000025
【図２５】
0004766440.tif 000026
【図２６】
0004766440.tif 000027
【図２７】
0004766440.tif 000028
【図２８】
0004766440.tif 000029
【図２９】
0004766440.tif 000030
【図３０】
0004766440.tif 000031
【図３１】
0004766440.tif 000032
【図３２】
0004766440.tif 000033
【図３３】
0004766440.tif 000034
【図３４】
0004766440.tif 000035
【図３５】
0004766440.tif 000036